(57)【要約】【課題】  所定方向に搬送される記録媒体に対向する面に、該記録媒体の搬送方向に対して傾いた方向に列状に並んだ複数のノズルから成るノズル列が形成されたインクジェットヘッドを備え、該各ノズルのそれぞれからインクを上記記録媒体に対して吐出することにより該記録媒体上にハーフトーン画像を記録するインクジェット式記録装置において、記録媒体上の色ムラの発生を防ぐ。【解決手段】  ヘッド部は副走査方向に並んで配置された複数のインクジェットヘッドを有している。ノズル列は、インクジェットヘッドのノズル板に、記録用紙の搬送方向に対して２０度だけ傾いた方向に列状に並んで形成されている。各色のスクリーン角度はそれぞれ、ノズル列の傾き角と異なるように設定されている。【選択図】  図７
2005111892.tif 000002
【特許請求の範囲】
【請求項１】
所定方向に搬送される記録媒体に対向する面に、該記録媒体の搬送方向に対して傾いた方向に列状に並んだ複数のノズルから成るノズル列が形成されたインクジェットヘッドを備え、該各ノズルのそれぞれからインクを上記記録媒体に対して吐出することにより該記録媒体上にハーフトーン画像を記録するインクジェット式記録装置であって、
上記記録媒体の搬送方向と上記ノズル列の傾き方向とのなす角度と、上記ハーフトーン画像における上記記録媒体の搬送方向を基準としたスクリーン角度とが異なっていることを特徴とするインクジェット式記録装置。
【請求項２】
請求項１記載のインクジェット式記録装置において、
上記ハーフトーン画像には、スクリーン角度及び色のそれぞれが互いに異なる第１及び第２のハーフトーンドットパターンが少なくとも含まれ、
上記記録媒体の搬送方向と上記ノズル列の傾き方向とのなす角度は、上記第１のハーフトーンドットパターンにおける上記記録媒体の搬送方向を基準としたスクリーン角度よりも大きく且つ上記第２のハーフトーンドットパターンにおける上記記録媒体の搬送方向を基準としたスクリーン角度よりも小さいことを特徴とするインクジェット式記録装置。
【発明の詳細な説明】
【技術分野】
【０００１】
本発明は、所定方向に搬送される記録媒体に対向する面に、該記録媒体の搬送方向に対して傾いた方向に列状に並んだ複数のノズルから成るノズル列が形成されたインクジェットヘッドを備え、該各ノズルのそれぞれからインクを上記記録媒体に対して吐出することにより該記録媒体上にハーフトーン画像を記録するインクジェット式記録装置に関するものである。
【背景技術】
【０００２】
従来から、記録媒体の搬送方向に対して傾くように配置されたインクジェットヘッドを備えたライン方式のインクジェット式記録装置が知られている（例えば、特許文献１を参照）。このインクジェットヘッドのノズル面には、インクジェットヘッドの傾き方向に列状に並んだ複数のノズルから成るノズル列が形成されている。そして、この種のインクジェット式記録装置によれば、ノズル列が記録媒体の搬送方向に対して傾いているため、印字時の見かけ上のノズル密度を上げることができ、その結果、印字密度を上げることができる。この構成は、インクジェットヘッドを記録媒体の幅方向に複数個並べた、ライン方式のインクジェット式記録装置に適用する場合に特に有効である。
【０００３】
また、画像処理の１つとして、ハーフトーン処理が一般的に知られている（例えば、特許文献２）。ハーフトーン処理とは、画像の連続階調を様々な大きさの点に分割する処理である。そして、画像に対してこのハーフトーン処理を施すことにより、グレーやカラーの連続階調を記録媒体に再現することができる。
【０００４】
ここで、グレースケール画像に対する伝統的なグラフィックハーフトーン処理の工程を説明する。まず、原画をカメラのコピーボードにマウントして光を照射する。このとき、その原画上の明るい部分（ハイライト）は光をよく反射する一方、その原画上の暗い部分（シャドウ）は光をあまり反射しない（吸収する）。次に、反射した光はカメラに入り、ハーフトーンスクリーン（ハーフトーンスクリーンの詳細は後述する）を通る。それにより、その原画はドットパターンに分割され、その結果、フィルム上にハーフトーンネガが形成される。このとき、ネガフィルム上では、上述のハイライトに対応するドットは大きくなる一方、上述のシャドウに対応するドットは小さくなる。最後に、ネガフィルムを用いてポジ画像を作成する。このとき、ポジ画像上では、上述のハイライトに対応するドットは小さくなる一方、上述のシャドウに対応するドットは大きくなる。
【０００５】
ここで、ハーフトーンスクリーンの詳細について述べる。ハーフトーンスクリーンは、互いに等しい間隔で平行に延びている複数の線が形成された二つの薄板を、互いに交差させることにより構成されている。そして、様々な輝度の反射光がそのハーフトーンスクリーンを通ることによって、フィルム上におけるハーフトーンスクリーンの隙間のそれぞれに対応する部分には、様々な大きさのハーフトーンドットが形成される。
【０００６】
ところで、ハーフトーン画像の精密さは、ハーフトーンスクリーンのスクリーン線数によって異なる。スクリーン線数とは、ハーフトーンスクリーン又は画像上のハーフトーンドットパターンの線数をいう。そして、スクリーン線数が大きい程、細部のはっきりした画像を再現することができる。
【０００７】
また、ハーフトーン画像を作成する上において、スクリーン線数に加えて、スクリーン角度についても考慮する必要がある。ここで、画像上のハーフトーンドットパターンを目立たないようにするためには、スクリーン角度が４５度であることが好ましい。
【０００８】
また、上述のグレースケール画像に対する伝統的なグラフィックハーフトーン処理の原理は、カラー画像に対しても適用できる。ただし、カラー画像を再現するためには、４色のインク（すなわち、シアン（Ｃ）とマゼンタ（Ｍ）とイエロー（Ｙ）とブラック（Ｋ））と４つのハーフトーンスクリーン（つまり、シアン用ハーフトーンスクリーンとマゼンタ用ハーフトーンスクリーンとイエロー用ハーフトーンスクリーンとブラック用ハーフトーンスクリーン）とを使用しなければならない。このようなカラー画像を再現するための印刷を、プロセス印刷又はＣＭＹＫ印刷という。
【０００９】
ここで、ハーフトーン処理がなされたカラー画像上にモアレ模様が発生することを防止するため、各色のスクリーン角度はそれぞれ、一般的に、以下のように設定されている（図８を参照）。
Ｃ＝１５°、Ｍ＝７５°、Ｙ＝９０°、Ｋ＝４５°
【００１０】
また、上述の伝統的なグラフィックハーフトーン処理の技術は、デジタルハーフトーン処理の基礎となっている。
【特許文献１】特開平６−３４４６２７号公報
【特許文献２】特開平８−２３７４９６号公報
【発明の開示】
【発明が解決しようとする課題】
【００１１】
ところで、インクジェットヘッドの傾き角とスクリーン角度とが同じである場合には、各ノズルのインクの吐出タイミングが互いにほぼ同一になる。したがって、インクジェットヘッドの傾き角とスクリーン角度とが同じである場合であって記録媒体の搬送速度にムラがあるときには、記録媒体上に、インクジェットヘッドの傾き方向に延びる色ムラが発生し、その結果、画質の低下を招く。例えば、インクジェットヘッドの傾き角とシアンのスクリーン角度とが同じである場合であって記録媒体の搬送速度が一時的に小さくなったときには、記録媒体上のシアンのハーフトーンドットパターン１００における該記録媒体の搬送速度が一時的に小さくなった部分に、インクジェットヘッドの傾き方向に延びる濃い斜め線１０１が生じる（図９を参照）。
【００１２】
本発明は、かかる点に鑑みてなされたものであり、その目的とするところは、所定方向に搬送される記録媒体に対向する面に、該記録媒体の搬送方向に対して傾いた方向に列状に並んだ複数のノズルから成るノズル列が形成されたインクジェットヘッドを備え、該各ノズルのそれぞれからインクを上記記録媒体に対して吐出することにより該記録媒体上にハーフトーン画像を記録するインクジェット式記録装置において、記録媒体上の色ムラの発生を防ぐ技術を提供することにある。
【課題を解決するための手段】
【００１３】
第１の発明は、所定方向に搬送される記録媒体に対向する面に、該記録媒体の搬送方向に対して傾いた方向に列状に並んだ複数のノズルから成るノズル列が形成されたインクジェットヘッドを備え、該各ノズルのそれぞれからインクを上記記録媒体に対して吐出することにより該記録媒体上にハーフトーン画像を記録するインクジェット式記録装置であって、上記記録媒体の搬送方向と上記ノズル列の傾き方向とのなす角度と、上記ハーフトーン画像における上記記録媒体の搬送方向を基準としたスクリーン角度とが異なっていることを特徴とするものである。
【００１４】
これにより、記録媒体の搬送方向とノズル列の傾き方向とのなす角度と、ハーフトーン画像における記録媒体の搬送方向を基準としたスクリーン角度とは異なっているため、記録媒体上へのハーフトーン画像の記録の際には、各ノズルのインクの吐出タイミングが互いに異なる。したがって、記録媒体の搬送速度にムラがある場合でも、記録媒体上にノズル列の傾き方向に延びる色ムラが発生しにくい。
【００１５】
第２の発明は、上記第１の発明において、上記ハーフトーン画像には、スクリーン角度及び色のそれぞれが互いに異なる第１及び第２のハーフトーンドットパターンが少なくとも含まれ、上記記録媒体の搬送方向と上記ノズル列の傾き方向とのなす角度が、上記第１のハーフトーンドットパターンにおける上記記録媒体の搬送方向を基準としたスクリーン角度よりも大きく且つ上記第２のハーフトーンドットパターンにおける上記記録媒体の搬送方向を基準としたスクリーン角度よりも小さいことを特徴とするものである。
【００１６】
これにより、記録媒体の搬送方向とノズル列の傾き方向とのなす角度が、第１のハーフトーンドットパターンにおける記録媒体の搬送方向を基準としたスクリーン角度よりも大きく且つ第２のハーフトーンドットパターンにおける記録媒体の搬送方向を基準としたスクリーン角度よりも小さいため、記録媒体上へのハーフトーン画像の記録の際には、各ノズルのインクの吐出タイミングが互いに異なる。したがって、ハーフトーン画像に第１及び第２のハーフトーンドットパターンが少なくとも含まれている場合であって記録媒体の搬送速度にムラがあるときでも、記録媒体上にノズル列の傾き方向に延びる色ムラが発生しにくい。
【発明の効果】
【００１７】
本発明によれば、記録媒体の搬送方向とノズル列の傾き方向とのなす角度と、ハーフトーン画像における記録媒体の搬送方向を基準としたスクリーン角度とは異なっているため、記録媒体上へのハーフトーン画像の記録の際には、各ノズルのインクの吐出タイミングが互いに異なる。そのため、記録媒体の搬送速度にムラがある場合でも、記録媒体上にノズル列の傾き方向に延びる色ムラが発生しにくい。したがって、記録媒体の搬送速度の精度の如何に拘わらず、記録媒体上の色ムラの発生を防ぐことができ、それにより、印字性能の向上を図ることができる。
【発明を実施するための最良の形態】
【００１８】
以下、本発明の実施形態を図面に基づいて詳細に説明する。
【００１９】
図１に示すように、本発明の実施形態に係るライン方式のインクジェット式記録装置１は、インク滴を記録用紙６に対して吐出するためのヘッドブロック部２と、インクを収容するインクタンク部３と、ヘッドブロック部２を制御するヘッド制御部４と、ヘッドブロック部２に対して後述する回復作業を行う回復系機構部５と、記録媒体としての記録用紙６を搬送する搬送装置（図示せず）と、後述する各ヘッド部２ａ，２ｂ，２ｃ，２ｄの互いの位置関係を調整する調整機構部（図示せず）とを備えている。
【００２０】
ヘッドブロック部２は、シアンのインク滴を記録用紙６に対して吐出するためのシアン（Ｃ）用ヘッド部２ａと、マゼンタのインク滴を記録用紙６に対して吐出するためのマゼンタ（Ｍ）用ヘッド部２ｂと、イエローのインク滴を記録用紙６に対して吐出するためのイエロー（Ｙ）用ヘッド部２ｃと、ブラックのインク滴を記録用紙６に対して吐出するためのブラック（Ｋ）用ヘッド部２ｄとを有している。これらのヘッド部２ａ，２ｂ，２ｃ，２ｄは、記録用紙６の搬送方向、すなわち、主走査方向Ｘに並んで配置されている。また、ヘッドブロック部２は、主走査方向Ｘと直角な副走査方向Ｙに移動自在に構成されている。
【００２１】
図２に示すように、シアン用ヘッド部２ａは、記録用紙６の副走査方向Ｙ（幅方向）に関する印字領域のすべてに及ぶように副走査方向Ｙに並んで配置された複数のインクジェットヘッド７，７，…と、それらのインクジェットヘッド７，７，…を保持するヘッド保持板８とを有している。本実施形態では、シアン用ヘッド部２ａは、例えば９つのインクジェットヘッド７を有している（このヘッド７の数は、印字幅に応じて変わる）。また、図３に示すように、各インクジェットヘッド７はそれぞれ、記録用紙６の搬送方向に対して同じ角度だけ傾くように配置されている。本実施形態では、各インクジェットヘッド７はそれぞれ、記録用紙６の搬送方向に対して、例えば２０度だけ傾斜するように配置されている（この角度は、ノズル９ａの配置と印字の解像度によって変わる）。
【００２２】
図４に示すように、各インクジェットヘッド７はそれぞれ、記録用紙６の搬送方向に対して傾いた方向に列状に並んだ複数のノズル９ａ，９ａ，…（本実施形態では、例えば、４００ピンのノズル９ａ）から成るノズル列９（図３を参照）が形成されたノズル板１０と、そのノズル板１０の上面上に形成され且つ内部に共通インク室１１等が形成されたインク流路形成部材１２と、そのインク流路形成部材１２の上面上に形成されるとともに内部に、各ノズル９ａ，９ａ，…にそれぞれ連通し且つシアンのインクを収容する複数の圧力室１３，１３，…が形成された圧力室形成部材１４と、下面の一部が複数の圧力室１３，１３，…に臨むように設けられた振動板１５と、その振動板１５の上面における各圧力室１３，１３，…に対応する部分上に設けられ且つ各圧力室１３，１３，…内のシアンのインクに圧力を付与して各ノズル９ａ，９ａ，…からシアンのインク滴を記録用紙６に対して吐出させる複数の圧電アクチュエータ１６，１６，…とを有している。また、図３に示すように、ノズル列９は、インクジェットヘッド７のノズル板１０に、記録用紙６の搬送方向に対するインクジェットヘッド７の傾き方向と同じ方向に延びている。すなわち、本実施形態では、ノズル列９は、記録用紙６の搬送方向に対して、例えば２０度だけ傾いている（以下、記録用紙６の搬送方向とノズル列９の傾き方向とのなす角度を「ノズル列９の傾き角」という）。なお、その他のヘッド部２ｂ，２ｃ，２ｄは、シアン用ヘッド部２ａとほぼ同様の構成である。また、本発明で言うところの記録媒体に対向する面は、ノズル板１０に対応する。
【００２３】
図１に示すように、上記インクタンク部３はヘッドブロック部２の主走査方向Ｘの一方側に設置され、また、シアンのインクを収容し且つシアン用ヘッド部２ａに対してそのインクを供給するシアン用インクタンク部３ａと、マゼンタのインクを収容し且つマゼンタ用ヘッド部２ｂに対してそのインクを供給するマゼンタ用インクタンク部３ｂと、イエローのインクを収容し且つイエロー用ヘッド部２ｃに対してそのインクを供給するイエロー用インクタンク部３ｃと、ブラックのインクを収容し且つブラック用ヘッド部２ｄに対してそのインクを供給するブラック用インクタンク部３ｄとを有している。これらのインクタンク部３ａ，３ｂ，３ｃ，３ｄは、主走査方向Ｘに並んで配置されている。
【００２４】
上記ヘッド制御部４は、メカ的に調整することができない、主走査方向Ｘ及び副走査方向Ｙのそれぞれに関する各ヘッド部２ａ，２ｂ，２ｃ，２ｄの位置ずれを補正するものであり、また、ヘッドブロック部２の上方に設置されている。具体的には、ヘッド制御部４は、主走査方向Ｘに関する各ヘッド部２ａ，２ｂ，２ｃ，２ｄの位置ずれの補正を画像データ及び吐出タイミングのそれぞれを補正することにより行う一方、副走査方向Ｙに関する各ヘッド部２ａ，２ｂ，２ｃ，２ｄの位置ずれの補正を画像データを補正することにより行う。
【００２５】
上記回復系機構部５はヘッドブロック部２の副走査方向Ｙの一方側に設置され、また、キャップとブレードとポンプなどを有している。回復系機構部５は上下方向及び主走査方向Ｘのそれぞれに移動自在に構成されている。そして、ヘッドブロック部２に対する回復作業、具体的には、ノズル９ａからインクを強制的に吐出する処理やノズル９ａに対するパージ（吸引）処理などを行う場合には、ヘッドブロック部２を回復系機構部５の上方に移動させる。
【００２６】
上記搬送装置は、記録用紙６を主走査方向Ｘの一方側に一定速度で搬送するものである。なお、記録用紙６は、例えば、ロール紙である。
【００２７】
上記調整機構部は、主走査方向Ｘ及び副走査方向Ｙのそれぞれに関する各ヘッド部２ａ，２ｂ，２ｃ，２ｄの互いの位置関係を、メカ的に微調整するものである。
【００２８】
また、上記インクジェット式記録装置１はコンピュータ（図示せず）に接続されている。このコンピュータはデジタルカメラやスキャン（図示せず）等に接続されている。そして、デジタルカメラ等は、該デジタルカメラで撮影した画像のデータをコンピュータに対して出力する。コンピュータは、その入力された画像データに対してハーフトーン処理を行うとともに、ハーフトーン処理を行うことにより形成されたハーフトーン画像のデータをインクジェット式記録装置１に対して出力する。本実施形態では、コンピュータは、画像をシアン（Ｃ）・マゼンタ（Ｍ）・イエロー（Ｙ）・ブラック（Ｂ）の４色の成分に色分解し、色分解されたそれらの画像のそれぞれに対してハーフトーン処理を行う。
【００２９】
ここで、各色のスクリーン角度はそれぞれ、ノズル列９の傾き角に応じて決定されている。具体的には、各色のスクリーン角度はそれぞれ、ノズル列９の傾き角と異なるように設定されている。本実施形態では、例えば、ノズル列９の傾き角が２０度のときにおいて、シアンのスクリーン角度を５度に、ブラックのスクリーン角度を３５度に、マゼンタのスクリーン角度を６５度に、及びイエローのスクリーン角度を８０度にそれぞれ設定している（図５を参照）。換言すれば、ノズル列９の傾き角がシアンのスクリーン角度よりも大きく且つブラックのスクリーン角度よりも小さくなるように、各色のスクリーン角度は設定されている。
【００３０】
−コンピュータ及びインクジェット式記録装置の動作−
ここで、コンピュータ及びインクジェット式記録装置１の動作の工程を、図６を参照しながら説明する。まず、コンピュータはノズル列９の傾き角の情報を読み取る（ステップＳ１）。本実施形態では、ノズル列９の傾き角は例えば２０度である。また、コンピュータには、例えば、デジタルカメラにより撮影されたカラー画像のデータが入力される（ステップＳ２）。
【００３１】
次に、コンピュータは、ノズル列９の傾き角に応じて、各色のスクリーン角度を決定する（ステップＳ３）。具体的には、コンピュータは、各色のスクリーン角度をノズル列９の傾き角と異なるように設定する。本実施形態では、コンピュータは、ノズル列９の傾き角が２０度のときにおいて、シアンのスクリーン角度を５度に、ブラックのスクリーン角度を３５度に、マゼンタのスクリーン角度を６５度に、及びイエローのスクリーン角度を８０度にそれぞれ設定する。
【００３２】
次に、コンピュータは、入力されたその画像データに対してハーフトーン処理を施してハーフトーン画像を作成する（ステップＳ４）。このとき、ノズル列９の傾き角と作成されたハーフトーン画像のスクリーン角度とは異なっている。具体的には、ノズル列９の傾き角と、作成されたハーフトーン画像に含まれる各色のハーフトーンドット（網点）パターンにおけるスクリーン角度とは異なっている。言い換えれば、ノズル列９の傾き角と、記録用紙６の搬送方向と各色のハーフトーンドットパターンが並んでいる方向とのなす角度とは異なっている。本実施形態では、ノズル列９の傾き角が例えば２０度である一方、シアンのハーフトーンドットパターンのスクリーン角度が５度であり、ブラックのハーフトーンドットパターンのスクリーン角度が３５度であり、マゼンタのハーフトーンドットパターンのスクリーン角度が６５度であり、イエローのハーフトーンドットパターンのスクリーン角度が８０度である（図５を参照）。
【００３３】
次に、ユーザは、形成されたそのハーフトーン画像の出力命令をコンピュータに対して行う（ステップＳ５）。次に、コンピュータは、そのハーフトーン画像のデータをインクジェット式記録装置１に対して出力し、それから、インクジェット式記録装置１は、そのハーフトーン画像を記録用紙６上に記録する（ステップＳ６）。この記録の際には、ヘッドブロック部２は所定の位置に固定される一方、記録用紙６は搬送装置により主走査方向Ｘの一方側に搬送される。そして、各ヘッド部２ａ，２ｂ，２ｃ，２ｄの各ノズル９ａのそれぞれから各色のインク滴を記録用紙６に対して吐出することにより、記録用紙６上に各色のハーフトーンドット（網点）パターンを形成する。その結果、記録用紙６上にハーフトーン画像が印刷される。このとき、ノズル列９の傾き角と記録用紙６上のハーフトーン画像のスクリーン角度とは異なっている。具体的には、ノズル列９の傾き角と、記録用紙６上のハーフトーン画像に含まれる各色のハーフトーンドットパターンにおけるスクリーン角度とは異なっている。換言すれば、ノズル列９の傾き角と、記録用紙６の搬送方向と記録用紙６上の各色のハーフトーンドットパターンが並んでいる方向とのなす角度とは異なっている。本実施形態では、ノズル列９の傾き角が例えば２０度である一方、シアンのハーフトーンドットパターンのスクリーン角度が５度であり、ブラックのハーフトーンドットパターンのスクリーン角度が３５度であり、マゼンタのハーフトーンドットパターンのスクリーン角度が６５度であり、イエローのハーフトーンドットパターンのスクリーン角度が８０度である（図５を参照）。なお、これらのスクリーン角度は記録用紙６の搬送方向を基準としている。また、本発明で言うところの所定方向は主走査方向Ｘの一方側に対応し、第１のハーフトーンドットパターンはシアンのハーフトーンドットパターンに対応し、第２のハーフトーンドットパターンはブラックのハーフトーンドットパターンに対応する。
【００３４】
−効果−
以上により、本実施形態によれば、ノズル列９の傾き角と、ハーフトーン画像における各色のハーフトーンドットパターンのスクリーン角度とは異なっているため、記録用紙６上へのハーフトーン画像の記録の際には、各ノズル９ａのインクの吐出タイミングが互いに異なる。そのため、記録用紙６の搬送速度にムラがある場合でも、記録用紙６上にノズル列９の傾き方向に延びる色ムラが発生しにくい。例えば、図７のようにノズル列９の傾き角が２０度で且つシアンのスクリーン角度が５度である場合、すなわち、両者が異なるような場合と、図９のようにノズル列の傾き角が１５度で且つシアンのスクリーン角度が１５度である場合、すなわち、両者が等しい場合を考える。図９の場合には、記録用紙の搬送速度が一時的に小さくなったときにおいて、記録用紙上のシアンのハーフトーンドットパターン１００に、ノズル列の傾き方向に延びる濃い斜め線１０１が生じる。しかしながら、図７の場合には、記録用紙６の搬送速度が一時的に小さくなったときにおいても、記録用紙６上のシアンのハーフトーンドットパターン１７に、従来のような濃い斜め線は発生しにくい（図７の１点鎖線付近を参照）。これは、記録用紙６上のブラック、マゼンタ及びイエローのハーフトーンドットパターンに関しても同様である。したがって、記録用紙６の搬送速度の精度の如何に拘わらず、記録用紙６上の色ムラの発生を防ぐことができ、それにより、印字性能の向上を図ることができる。
【００３５】
（その他の実施形態）
なお、本実施形態では、ノズル列９の傾き角が２０度であるが、ノズル列９が記録用紙６の搬送方向に対して傾いている限り、ノズル列９の傾き角は如何なる値であってもよい。
【００３６】
また、本実施形態では、ノズル列９の傾き角がシアンのスクリーン角度よりも大きく且つブラックのスクリーン角度よりも小さいが、これに限らず、例えば、ブラックのスクリーン角度よりも大きく且つマゼンタのスクリーン角度よりも小さくてもよい。
【００３７】
また、本実施形態では、シアンのスクリーン角度を５度に、ブラックのスクリーン角度を３５度に、マゼンタのスクリーン角度を６５度に、及びイエローのスクリーン角度を８０度にそれぞれ設定しているが、各色のスクリーン角度がそれぞれノズル列９の傾き角と異なっている限り、各色のスクリーン角度は如何なる値であってもよい。
【００３８】
また、本実施形態では、ノズル列９の傾き角に対して、各色のスクリーン角度がそれぞれノズル列９の傾き角と異なるように設定されているが、それらのスクリーン角度のうち少なくとも１色のスクリーン角度がノズル列９の傾き角と異なるように設定されればよい。
【００３９】
また、本実施形態では、ノズル列９の傾き角に応じて各色のスクリーン角度が決定されているが、各色のスクリーン角度に応じてノズル列９の傾き角を決定してもよい。
【００４０】
また、本実施形態では、本発明をデジタルハーフトーン処理がなされたハーフトーン画像の記録に対して適用しているが、伝統的なグラフィックハーフトーン処理がなされたハーフトーン画像の記録に対して適用してもよい。
【００４１】
また、本実施形態では、画像が４色の色成分に色分解されているが、任意の数の色成分に色分解されてもよい。
【００４２】
また、本実施形態では、コンピュータがハーフトーン処理を行っているが、インクジェット式記録装置１がハーフトーン処理を行ってもよい。
【００４３】
また、本実施形態では、記録用紙６はロール紙であるが、これに限らず、例えば、カット紙等であってもよい。
【００４４】
また、本実施形態では、本発明で言うところの記録媒体は記録用紙６によって構成されているが、これに限らず、例えば、建材、板金、ダンボール等であってもよい。
【００４５】
また、本実施形態では、本発明をライン方式のインクジェット式記録装置１に対して適用しているが、いわゆるシリアル方式のものに対して適用してもよい。
【００４６】
また、本実施形態では、各ヘッド部２ａ，２ｂ，２ｃ，２ｄは９個のインクジェットヘッド７を有しているが、記録用紙６の幅方向に関する印字領域のすべてをカバーすることができる限り、インクジェットヘッド７の数は任意の数でよい。
【００４７】
また、本実施形態では、圧力室内１３内のインクに圧力を付与する手段として圧電アクチュエータ１６、すなわち、いわゆるピエゾ型のものが用いられているが、その圧力付与手段としていわゆるバブルジェット（登録商標）型のもの又はいわゆる静電型のものが用いられてもよい。
【産業上の利用可能性】
【００４８】
以上説明したように、本発明は、コンピュータ・ファクシミリ・複写機等のプリンタなどに適用する場合について有用である。
【図面の簡単な説明】
【００４９】
【図１】本発明の実施形態に係るライン方式のインクジェット式記録装置の斜視図である。
【図２】ヘッド部を下方から見た斜視図である。
【図３】ノズル板の平面図である。
【図４】インクジェットヘッドの断面斜視図である。
【図５】各色のハーフトーンドットパターンのスクリーン角度を示した図である。
【図６】コンピュータ及びインクジェット式記録装置の動作の工程を示す図である。
【図７】ノズル列の傾き角とシアンのハーフトーンドットパターンのスクリーン角度との関係を示した図である。
【図８】従来における各色のハーフトーンドットパターンのスクリーン角度を示した図である。
【図９】従来におけるインクジェットヘッドの傾き角とシアンのハーフトーンドットパターンのスクリーン角度との関係を示した図である。
【符号の説明】
【００５０】
１  インクジェット式記録装置
２  ヘッドブロック部
６  記録用紙
７  インクジェットヘッド
９  ノズル列
【図１】
2005111892.tif 000003
【図２】
2005111892.tif 000004
【図３】
2005111892.tif 000005
【図４】
2005111892.tif 000006
【図５】
2005111892.tif 000007
【図６】
2005111892.tif 000008
【図７】
2005111892.tif 000009
【図８】
2005111892.tif 000010
【図９】
2005111892.tif 000011